(57)【要約】      （修正有）【課題】検査室内にＸ線照射部の作動状況を報知する報知器を設置可能とし、操作者がＸ線制御部やモニタから離れたところにいても、容易にＸ線照射部の状況を確認できるようにすること及びＸ線照射部の作動状況を報知する報知器を後付けできるようにすること。【解決手段】Ｘ線照射部１１と、Ｘ線撮影部１２と、撮影されたＸ線画像を表示させるモニタ８と、モニタ８を保持するモニタ保持装置７と、モニタ保持装置７を天井から移動可能に支持するモニタ保持装置支持機構６を備え、モニタ保持装置７の上方でモニタ保持装置支持機構６の保持部１６の下方に、報知器２０又は報知器２０と同じ形状のカバー体が着脱自在に設置可能であるＸ線診断装置。【選択図】図１
2018057730.tif 000002
【特許請求の範囲】
【請求項１】
被検体へＸ線を照射するＸ線照射部と、前記被検体を透過したＸ線を検出するＸ線撮影部と、Ｘ線撮影部により撮影されたＸ線画像を表示するモニタを備えるＸ線診断装置において、
前記モニタを保持するモニタ保持装置と、
該モニタ保持装置を天井から支持するとともに前記モニタ保持装置の位置を変更可能に支持するモニタ保持装置支持機構を備え、
前記モニタ保持装置は、前記モニタの上端より上方に前記Ｘ線照射部の作動状況を報知する報知器が設置可能である
ことを特徴とするＸ線診断装置。
【請求項２】
前記報知器は、赤色、黄色及び緑色を選択的に発光可能な発光体を備え、前記モニタ保持装置支持機構の下方に設置可能である
ことを特徴とする請求項１記載のＸ線診断装置。
【請求項３】
前記モニタ保持装置は、前記報知器が着脱自在に設置可能であるとともに、前記報知器と同じ形状のカバー体が着脱自在に設置可能である
ことを特徴とする請求項１又は２記載のＸ線診断装置。
【発明の詳細な説明】
【技術分野】
【０００１】
本発明は、Ｘ線撮影部により撮影された被検体のＸ線画像を表示するモニタが天井から支持される形式のＸ線診断装置に関するものである。
【背景技術】
【０００２】
従来、Ｘ線診断装置において、操作者がＸ線制御部から離れたところにいても、Ｘ線照射部の状況を確認できるよう表示することが提案されている。
例えば、特許文献１（特許第４７１５８８２号公報）には、コリメータ(5)の正面にＸ線撮像系の状態を示させる発光表示部(53)を設けた回診用Ｘ線診断装置(1)が開示されている。
また、特許文献２（特開２０１４−２１３０９１号公報）には、放射線撮影装置(104)の状態を第一の表示装置(106)及び第二の表示装置(107)に、撮影準備中であれば"Waiting"、撮影中であれば"Capturing"等と表示する移動型放射線発生装置が開示されている。
【０００３】
しかし、特許文献１に記載の回診用Ｘ線診断装置及び特許文献２に記載の移動型放射線発生装置ともに、移動できる形式のＸ線診断装置における工夫であり、モニタを天井から支持し、その位置を変更できるようにした常設タイプのＸ線診断装置ではない。
このような常設タイプのＸ線診断装置においては、検査室の外側にＸ線照射部の状況を確認できるよう表示する表示器を設置することは行われていたが、検査室の内部にそのような表示器を設置することは行われていなかった。
【０００４】
なお、特許文献２記載の技術を応用すれば、表示装置（モニタ）にＸ線照射部の状況を表示することは可能であるが、モニタへの表示は見づらく、モニタから離れた場所やモニタの横又は裏側にいる場合には、その表示を確認することができない。
【先行技術文献】
【特許文献】
【０００５】
【特許文献１】特許第４７１５８８２号公報
【特許文献２】特開２０１４−２１３０９１号公報
【発明の概要】
【発明が解決しようとする課題】
【０００６】
本発明は、モニタを天井から支持し、その位置を変更できるようにした常設タイプのＸ線診断装置において、検査室内にＸ線照射部の作動状況を報知する報知器を設置可能とし、操作者がＸ線制御部やモニタから離れたところにいても、容易にＸ線照射部の状況を確認できるようにすることを第一の課題としてなされたものである。
また、本発明は、Ｘ線照射部の作動状況を報知する報知器を後付けできるようにすることを第二の課題としてなされたものである。
【課題を解決するための手段】
【０００７】
請求項１に係る発明は、被検体へＸ線を照射するＸ線照射部と、前記被検体を透過したＸ線を検出するＸ線撮影部と、Ｘ線撮影部により撮影されたＸ線画像を表示するモニタを備えるＸ線診断装置において、
前記モニタを保持するモニタ保持装置と、該モニタ保持装置を天井から支持するとともに前記モニタ保持装置の位置を変更可能に支持するモニタ保持装置支持機構を備え、
前記モニタ保持装置は、前記モニタの上端より上方に前記Ｘ線照射部の作動状況を報知する報知器が設置可能であることを特徴とするＸ線診断装置である。
【０００８】
請求項２に係る発明は、請求項１に記載のＸ線診断装置において、前記報知器は、赤色、黄色及び緑色を選択的に発光可能な発光体を備え、前記モニタ保持装置支持機構の下方に設置可能であることを特徴とする。
【０００９】
請求項３に係る発明は、請求項１又は２に記載のＸ線診断装置において、前記モニタ保持装置は、前記報知器が着脱自在に設置可能であるとともに、前記報知器と同じ形状のカバー体が着脱自在に設置可能であることを特徴とする。
【発明の効果】
【００１０】
請求項１に係る発明のＸ線診断装置によれば、モニタを保持するモニタ保持装置は、モニタの上端より上方にＸ線照射部の作動状況を報知する報知器が設置可能となっているので、操作者がＸ線制御部やモニタから離れた場所やモニタの横又は裏側にいる場合においても、確実にＸ線照射部の状況を確認できる。
【００１１】
請求項２に係る発明によれば、請求項１に係る発明のＸ線診断装置による効果に加え、報知器は、赤色、黄色及び緑色を選択的に発光可能な発光体を備えているので、Ｘ線照射部の状況を容易かつ確実に確認できる。
また、報知器が、モニタ保持装置支持機構の下方に設置可能となっているので、モニタ保持装置支持機構の下端とモニタ上端との間の邪魔にならないスペースを有効活用でき、かつ、モニタ保持装置支持機構の下端部に報知器を制御する信号線を配置することにより報知器を容易に設置することができる。
【００１２】
請求項３に係る発明によれば、請求項１又は２に係る発明のＸ線診断装置による効果に加え、モニタ保持装置は、報知器が着脱自在に設置可能であるとともに、報知器と同じ形状のカバー体が着脱自在に設置可能となっているので、モニタ保持装置に報知器を設置しなくても見栄えがほとんど変わらず、また、後で報知器が必要になった場合には、カバー体に代えて報知器を設置する作業を行えば良い。
【図面の簡単な説明】
【００１３】
【図１】実施例の報知器２０を設置したＸ線診断装置全体を示す図。
【図２】実施例の報知器２０を設置したモニタ保持装置７及びモニタ８の正面図。
【図３】モニタ保持装置７への報知器２０又はカバー体２１の設置を説明する図。
【発明を実施するための形態】
【００１４】
以下、実施例によって本発明の実施形態を説明する。
【実施例】
【００１５】
図１は、実施例の報知器２０を設置したＸ線診断装置全体を示す図である。
図１に示すように、実施例のＸ線診断装置は以下の構成を備えている。
（１）天井に固定されている前後走行枠１。
（２）前後走行枠１の内側に形成されている溝に沿って前後方向（図１では紙面に垂直な方向）へ移動自在に支持されているモニタ保持装置支持枠２。
（３）同じく前後走行枠１の内側に形成されている溝に沿って前後方向へ移動自在に支持されている操作卓保持装置支持枠３。
（４）モニタ保持装置支持枠２の内側に形成されている溝に沿って左右方向へ移動自在に支持されているモニタ保持用固定部４。
（５）操作卓保持装置支持枠３の内側に形成されている溝に沿って左右方向へ移動自在に支持されている操作卓保持用固定部５。
【００１６】
（６）モニタ保持用固定部４の中央下面に、鉛直軸の回りに回動自在かつ上下方向へ移動自在に固定されるモニタ保持装置支持機構６。
（７）モニタ保持装置支持機構６の下端部に固定されるモニタ保持装置７。
なお、モニタ保持装置７にはモニタ８が背面側からネジ止めにより固定できるようになっている。
（８）操作卓保持用固定部５の中央下面に、鉛直軸の回りに回動自在かつ上下方向へ移動自在に固定される操作卓保持装置９。
なお、操作卓保持装置９にはＸ線制御部を含むローカル操作卓（図示せず）が載置され、必要に応じて固定することができるようになっている。
（９）被検体（患者）を載せる検査テーブル１０。なお、検査テーブル１０の脚部は適宜の駆動装置によって上下に移動できるようになっている。
（１０）被検体に対してＸ線を照射するＸ線照射部１１。
（１１）被検体を透過したＸ線を検出するＸ線撮影部１２。
このＸ線撮影部１２により撮影されたＸ線画像等がモニタに表示される。
【００１７】
そして、モニタ保持装置支持機構６は以下の構成を有している。
（１）モニタ保持用固定部４に対して鉛直方向に延び、鉛直軸の回りに回動自在に固定されているモニタアーム回転軸１３。
（２）モニタアーム回転軸１３に設けてある水平軸（図示せず）に対して、その一端部が回動可能に固定されているモニタアーム１４。
（３）モニタアーム１４の他端部に、水平軸及び鉛直軸の回りに回動自在に固定されている保持部回転軸１５。
（４）保持部回転軸１５の下部に、両側からビスで固定されている保持部１６。
保持部１６がモニタ保持装置支持機構６の下端部に当たり、モニタ保持装置７の上端部を保持部１６に差し込み、両側からそれぞれ３本のビスをねじ込んで固定する。
【００１８】
また、操作卓保持装置９は以下の構成を有している。
（１）操作卓保持用固定部５に対して鉛直方向に延び、鉛直軸の回りに回動自在に固定されている操作卓アーム回転軸１７。
（２）操作卓アーム回転軸１７の下端部付近に設けてある水平軸（図示せず）に対して、その一端部が回動可能に固定されている操作卓アーム１８。
（３）操作卓アーム１８の他端部に、水平軸及び鉛直軸の回りに回動自在に固定されている操作卓保持部１９。
なお、操作卓アーム回転軸１７は、モニタアーム１４と操作卓アーム１８とが干渉しにくくなるように、モニタアーム回転軸１３より長くなっている。
【００１９】
さらに、実施例のＸ線診断装置は、モニタ保持装置支持機構６及び操作卓保持装置９を移動させるための操作部（図示せず）及びその操作部の指示に従ってモニタ保持装置支持枠２、操作卓保持装置支持枠３、モニタ保持用固定部４、操作卓保持用固定部５、モニタアーム１４及び操作卓アーム１８を移動又は回動させるための駆動部（図示せず）を備えている。
そして、操作部は、リモートコントローラタイプ又は壁等への設置タイプであり、モニタ保持装置支持枠２を前後方向へ移動させるための第１スイッチ、操作卓保持装置支持枠３を前後方向へ移動させるための第２スイッチ、モニタ保持用固定部４を左右方向へ移動させるための第３スイッチ、操作卓保持用固定部５を左右方向へ移動させるための第４スイッチ、モニタアーム１４を回動させるための第５スイッチ、操作卓アーム１８を回動させるための第６スイッチを備えている。
【００２０】
実施例のＸ線診断装置は、上記のような構成となっているので、モニタ保持装置支持機構６は、第１、第３、第５スイッチの操作によって、その移動可能空間内の自由な位置に移動させることができ、操作卓保持装置９は、第２、第４、第６スイッチの操作によって、その移動可能空間内の自由な位置に移動させることができる。
また、モニタ保持装置７及び操作卓保持部１９は、それぞれの下端部に設けてあるモニタ把手部及び操作卓把手部を、操作者がつかんで動かすことによって、モニタアーム１４及び操作卓アーム１８を揺動させて高さを調整できるとともに、モニタアーム１４及び操作卓アーム１８の他端部に対して回動させて向きを調整できるようになっている。
【００２１】
図２は、実施例の報知器２０を設置したモニタ保持装置７及びモニタ８の正面図であり、モニタ８はモニタ保持装置７の下部の左右に固定される２つの画面を有している。
また、図３は、モニタ保持装置７への報知器２０又はカバー体２１の設置を説明する図であり、図３（ｂ）及び（ｃ）から分かるように、報知器２０とカバー体２１は、Ｘ線照射部１１の作動状況に応じて異なる色に発光する発光体２２（赤色ＬＥＤ、黄色ＬＥＤ及び緑色ＬＥＤ）の有無だけが異なっており、全体としては同じ形状となっている。
報知器２０及びカバー体２１は、保持部回転軸１５の下部に固定されている保持部１６の下方の開口部を塞ぐように取り付けられ、モニタ保持装置７の左右の端面において、それぞれ２本のビスをねじ込んで固定される。
なお、報知器２０とカバー体２１のいずれを設置するかは、ユーザーが報知器２０の必要性を判断して決定でき、当初は不要と判断してカバー体２１を設置していても、後日必要という判断に変わった場合には、カバー体２１に代えて報知器２０の設置を依頼することにより容易に後付けできる。
【００２２】
報知器２０を設置するに際しては、図３（ａ）から分かるように保持部回転軸１５の下端部からモニタ８へケーブルが延びているが、このケーブルとともに発光体２２を制御するための信号線も配置されているので、その信号線と発光体２２とをコネクタを用いて接続した後、モニタ保持装置７に固定すれば良い。
また、Ｘ線照射部１１の作動状況と発光体２２の動作との関係は次のようになっている。
（１）Ｘ線照射部１１の電源ＯＦＦ  ：無灯
（２）Ｘ線照射部１１の電源ＯＮ    ：緑色に点灯
（３）Ｘ線照射部１１からＸ線照射中：黄色に点灯
（４）Ｘ線照射部１１に異常有り    ：赤色に点灯
【００２３】
実施例の変形例を列記する。
（１）実施例においては、モニタ保持用固定部４を前後方向及び左右方向へ移動自在に支持したが、モニタ保持用固定部４は前後方向のみ又は左右方向のみへ移動自在に支持しても良く、全く移動しなくても良い。
ただし、少なくともモニタ保持装置７及びモニタ８は、モニタ保持装置支持機構６により天井から支持され、前後方向、左右方向、上下方向のいずれか一つの方向には移動自在であるとともに、鉛直軸の回りに回動自在であるのが好ましい。
（２）実施例においては、操作卓保持用固定部５を前後方向及び左右方向へ移動自在に支持したが、操作卓保持用固定部５は、前後方向のみ又は左右方向のみへ移動自在に支持しても良く、全く移動しなくても良い。
また、ローカル操作卓は、天井から支持するものに限らず、床の上に固定するものや床の上を移動するキャスター上に載置するものであっても良い。
【００２４】
（３）実施例においては、報知器２０を保持部１６の下方及びモニタ保持装置７の上方に固定したが、報知器２０の固定箇所はモニタ８の上端より上方であれば、モニタ保持装置７のいずれの箇所に固定しても良い。
（４）実施例においては、報知器２０を保持部１６の下方及びモニタ保持装置７の上方に固定したが、報知器２０は、モニタ保持装置７への固定に代えて又は追加して、操作卓アーム１８の下方及び操作卓保持部１９の上方に固定しても良い。
（５）実施例においては、報知器２０を設置しない場合には、カバー体２１を代わりに設置したが、カバー体２１は設置しなくても良い。
また、報知器２０は必ず設置するが、報知が不要な場合には信号線と発光体２２とを接続しないという対応にしても良い。
【００２５】
（６）実施例においては、Ｘ線照射部１１が電源ＯＦＦの時、発光体２２は無灯であったが、緑、黄、赤以外の色に点灯するようにしても良い。
また、Ｘ線照射部１１の作動状況に応じて、発光体２２は緑色、黄色又は赤色に点灯するものとしたが、点滅させても良い。
（７）実施例においては、Ｘ線照射部１１の作動状況を発光体２２のみで報知したが、発光体２２による報知に加えて、音を発生させたりモニタ上に文字やマークを表示させたりしても良い。
【符号の説明】
【００２６】
１  前後走行枠      ２  モニタ保持装置支持枠
３  操作卓保持装置支持枠      ４  モニタ保持用固定部
５  操作卓保持用固定部      ６  モニタ保持装置支持機構
７  モニタ保持装置      ８  モニタ      ９  操作卓保持装置
１０  検査テーブル      １１  Ｘ線照射部      １２  Ｘ線撮影部
１３  モニタアーム回転軸      １４  モニタアーム
１５  保持部回転軸      １６  保持部      １７  操作卓アーム回転軸
１８  操作卓アーム      １９  操作卓保持部
２０  報知器      ２１  カバー体      ２２  発光体
【図１】
2018057730.tif 000003
【図２】
2018057730.tif 000004
【図３】
2018057730.tif 000005